(57)【要約】【課題】テレビ等の音量をリモコン操作なしで調整できるリモートコントロール機器を提供すること。【解決手順】携帯電話１００に設けられたマイク１０５よりテレビからの音声信号を入力する。携帯電話１００は、本体に設けられたマイク１０５から入力された音声信号に応じて、テレビ等の音量を最適に調整するための赤外線信号を発光ユニット１０３からテレビ等に向けて発光し、テレビ等の音量を調整する。【選択図】　図１
2004023423.tif 000002
【特許請求の範囲】
【請求項１】
携帯電話本体に設けられたマイクからの音声を認識する音声認識手段と、前記音声認識手段から入力された音声に応じたリモートコントロール制御信号を発生する手段とを備えたリモートコントロール機能付携帯電話。
【請求項２】
前記リモートコントロール制御信号で、チャンネル選択、音量調節、電源オンオフのうち少なくとも一つを行えるようにした請求項１に記載のリモートコントロール機能付携帯電話。
【発明の詳細な説明】
【０００１】
【発明の属する技術分野】
本発明は、テレビ等のリモートコントロール（以下、リモコンという）機能を有する携帯電話に関するものである。
【０００２】
【従来の技術】
従来、テレビ等のリモコンと携帯情報端末の両方の機能を備えたものとして、例えば、特開平１１−２８４７５７号公報に記載された携帯情報端末装置が公知である。上記公報に記載のものは、リモコンの持つ既存の機能を携帯電話のような携帯情報端末に付加するものであった。
【０００３】
【発明が解決しようとする課題】
しかしながら、上記公報に記載されたようなリモコン機能付き携帯電話は、テレビ等のリモコンとしての利便性を考えると必ずしも十分な機能を有するものではなかった。
【０００４】
例えば、テレビの視聴中に最も使用頻度が高いのはチャンネル操作と音量調節の機能であるが、この点について上記公報に記載のものは、何ら考慮をしていない。すなわち、チャンネルの操作では、選局用のチャンネル切り替えボタンを複数回押すか、複数ある各チャンネル用のボタンのなかからあるひとつのボタンを押すことで、所望のチャンネルに合わせる必要があったり、音量の調節では、所望の音量になるまで音量調節用のボタンを押しつづける必要があったりするのに対し、その操作性に関して問題の解決がなされていない。
【０００５】
【課題を解決するための手段】
本発明のリモートコントロール機能付携帯電話は、携帯電話本体に設けられたマイクからの音声を認識する音声認識手段と、前記音声認識手段から入力された音声に応じたリモートコントロール制御信号を発生する手段とを備えた構成とした。この構成により、使用者の近辺に置かれる可能性の高い携帯電話に備えられたマイクを利用し、音声によってテレビ等の電子装置の操作を簡便におこなうことができる。
【０００６】
また、本発明のリモートコントロール機能付携帯電話は、前記リモートコントロール制御信号で、チャンネル選択、音量調節、電源オンオフのうち少なくとも一つを行えるように構成した。この構成により、使用者が煩雑な操作をすることなくチャンネル選択、音量調節、電源オンオフが可能になる。
【０００７】
【発明の実施の形態】
以下、本発明の実施の形態について、図面を用いて説明する。
【０００８】
本発明のリモコン機能付き携帯電話１００は、通常の携帯電話の機能を制御する制御部（図示せず）に加えて、携帯電話をリモコンとして動作させるための処理を行うリモートコントロール処理部１０２と、テレビ等のリモートコントロール操作を行うキーを備え、使用者が手による操作を行ったときにリモートコントロール処理部１０２へ制御信号を出力する操作部１０１と、ＴＶや使用者から発せられる音声等の信号を入力するマイク１０５とを備えている。なお、リモートコントロール操作部１０１は、携帯電話１０１にもともと備えられているダイヤル用ボタンなどのユーザインターフェイスを用いて実現することも可能である。また同様に、マイク１０５には、携帯電話１００に通常備えられている、通話音声を集音するマイクを併用することが可能である。
【０００９】
リモートコントロール処理部１０２は、リモートコントロール操作部１０１からの入力に応じた制御用赤外線信号を発する赤外線発光ユニット１０３を有している。また、リモートコントロール処理部１０２は、音声入力用モードのオンとオフの状態を保持する第１のフラグ１０４と、音量自動調節用モードのオンとオフの状態を保持する第２のフラグ１０７とを有している。さらに、リモートコントロール処理部１０２は、マイク１０５から入力された音声入力パターンとその音声入力パターンに応じたリモコン操作とを対応付けて記憶するテーブル１０６を有している。
【００１０】
図２は、図１におけるリモートコントロール処理部１０２についての詳細構成を示すブロック図である。図１と同じ構成については同じ符号を付して説明を省略する。リモートコントロール処理部１０２は、マイク１０５から入力される音声信号のうち一定の音圧を超えるものだけを通過させる通過するゲート回路２０１と、ゲート回路２０１を通過した音声信号を格納する音声用バッファ２０２と、音声認識に必要の無い帯域の周波数成分をカットするなど音声認識の前処理を行うＥＱ回路２０３と、ゲート回路２０１と音声用バッファ２０２とＥＱ回路２０３とを制御する制御部２０４と、ＥＱ回路２０３で前処理された音声信号に対して音声認識を行う音声認識回路２０５と、音声入力パターンとその音声入力パターンに応じたリモコン操作とを対応付けたテーブル１０６を記憶するテーブル用メモリ２０６と、テーブル用メモリ２０６を参照して音声認識回路２０５が行った認識に応じて制御用信号を赤外線発光ユニット１０３から出力させる赤外線発光ユニット制御部２０７とによって構成される。
【００１１】
以上のように構成されたリモートコントロール機能付き携帯電話について、以下に、その動作を説明する。
【００１２】
リモートコントロール操作部１０１に対してチャンネル変更や音量調整などの操作に関する入力があると、リモートコントロール処理部１０２は内蔵する赤外線発光ユニット１０３などからその操作に応じたテレビの制御用信号を発するのが、本発明の携帯電話１０１の基本的な動作である。
【００１３】
まず、リモートコントロール操作部１０１より音声入力モードにする旨の操作が行われると、リモートコントロール処理部１０２は、第１のフラグ１０４をオンにする。第１のフラグ１０４がオンであるとき、リモートコントロール処理部１０２は、マイク１０５からの入力される音声信号を常に監視し、音声認識をおこなう。リモートコントロール処理部１０２は、マイク１０５から入力された音声信号があらかじめ保持するテーブル１０６上にある音声入力パターンと一致するかどうかの判定をおこなう。リモートコントロール処理部１０２は、マイク１０５から入力された音声信号がテーブル１０６上にある音声入力パターンと一致していると判定した場合、テーブル１０６を参照して、音声入力パターンに対応するテレビ制御用信号を発信したり、リモートコントロール処理部１０２が保持する制御用の情報に対して更新を行ったりする。
【００１４】
また、リモートコントロール処理部１０２は、リモートコントロール操作部１０１より音量自動調節用モードにする旨の操作が行われると、第２のフラグ１０７をオンにする。第２のフラグ１０７がオンのとき、リモートコントロール処理部１０２はマイク１０５より入力される信号を常に監視し、マイク１０５に入力される音圧が一定の範囲に収まるように音量調節用のテレビ制御用信号を発信する。なお、音声入力モードと音量自動調節用モードは、第１の第１のフラグ１０４、１０７の状態によりそれぞれ独立して設定することが可能であり、同時に両モードを起動することもできる。
【００１５】
まず、音量自動調節用モードが起動された場合の動作について詳述する。音量自動調節用モードが起動されると、マイク１０５より入力される音声信号の音圧レベルの監視を始める。リモートコントロール処理部１０２では、この音声信号の音圧レベルを計算し、音圧レベルの値が目標の音圧レベルの範囲におさまっているか否かを判断する。おさまっている場合はそのままの状態で引き続き音圧レベルの監視を続けるが、目標の範囲から外れた状態が続く場合、リモートコントロール処理部１０２に内蔵された赤外線発光ユニット１０７より、音圧を目標の範囲内におさめるようなテレビの音量調節用赤外線信号を送信する。
【００１６】
次に、音声入力モードが起動された場合の動作について詳述する。音声入力モードが起動されると、テーブル１０６を参照して音声認識が行われる。テレビ等のリモートコントロールに用いるターゲットの単語はあらかじめリモートコントロール処理部１０２内のテーブル２０６に保持されており、赤外線発光ユニット１０３から出力されるテレビリモコン用の制御用赤外線信号はテーブル２０６を参照して決定される。表１に、音声認識によって検出するターゲットの単語の例を示す。
【００１７】
【表１】
2004023423.tif 000003
【００１８】
テーブル２０６には、テレビの放送局名やチャンネル選局操作、音量調節操作、電源のオンオフ操作について、音声認識用の情報とそれぞれに対応したテレビリモコン操作用の制御信号が参照可能に対応付けられて保持されている。マイク１０５から表１の右欄に記載した単語が入力されると、表１の左欄の操作が行われるような制御用信号が赤外線発光ユニット１０３から出力されるようになっている。
【００１９】
マイク１０５から入力された音声信号は、まず、ゲート回路２０１によって一定の音圧を超えるものだけが通過し、音声用バッファ２０２に格納される。音声用バッファ２０２は制御部２０４によって監視、制御されている。まず、制御部２０４によって、音声信号の連続する時間長が音声認識をおこなうべき長さに満たない、と判断された場合、制御部２０４はその音声信号が格納された音声用バッファ２０２内の領域を解放し、音声用バッファ２０２内のその範囲の音声信号は捨てられる。また、制御部２０４によって、連続する時間長が音声認識を行うのに長すぎると判断された場合、制御部２０４はゲート回路２０１が通過させる音圧の閾値をあげることで、音声用バッファ２０２に蓄積される連続した時間長の音声信号を減らす。以上の制御の結果、音声用バッファ２０２内には音声認識をする必要のある長さの音声信号だけが、効率よく格納されることとなる。音声用バッファ２０２内に格納された、時間的に連続な音声信号は順次、ＥＱ回路２０３、音声認識回路２０５へと送られる。ＥＱ回路２０３では、音声認識に必要の無い帯域の周波数成分をカットするなど、音声認識の前処理が行われる。これは音声認識回路２０５での認識精度を向上させるためである。音声認識回路２０５はテーブル用メモリ２０６を参照しつつ音声認識を行い、ヒットしたと判定した場合、テーブル用メモリ２０６に対する読み出しを行うと同時に、赤外線発光ユニット制御部２０７に対してトリガーをかける。テーブル用メモリ２０６からの出力は赤外線発光ユニット制御部２０７にも接続されており、トリガーがかかった赤外線発光ユニット制御部２０７は、テーブル用メモリ２０６からの信号を元に赤外線発光素子１０３を駆動する。
【００２０】
表１の例によれば、マイク１０５から、“○○テレビ”と音声入力されると、○○テレビが放映されているチャンネルが直接選局されるような制御用信号が赤外線発光ユニット１０３から出力される。“外部”と音声入力されれば、テレビの外部端子から入力された映像が映し出される状態となるように制御される。
【００２１】
以下同様に、“つぎ”、“かえて”と音声入力されると、現在選局されているチャンネルの次のチャンネル（昇順か降順かは設定可能）が選局され、“まえ”、“今の”と音声入力されると、現在選局されているチャンネルの前のチャンネルが選局される。
【００２２】
音量調節の操作については、“おおきい”、“うるさい”、“小さく”、“ちっさく”が音声入力されると、音量が小さくなるような操作が行われ、“ちいさい”、“聞こえない”、“大きく“、”おっきく“が音声入力されると、音量が大きくなるような操作が行われ、”もうちょっと“、”もうちょい“と音声入力されれば、直前の操作がその操作量を少なくした上で継続される。
【００２３】
電源操作については、“オン”、“つける”、“つけて”で電源がオンされ、“オフ”、“けす”、“けして”で電源がオフされる。
【００２４】
音声認識すべきターゲット単語の数は、表１の例に限るものではなく、リモートコントロール操作部１０１からの操作等により拡張することが可能である。
【００２５】
以上のように、本実施の形態の携帯電話によれば、使用者はテレビ等のリモコンの手による操作から解放される。携帯電話は、普通、テレビ等の視聴中においても使用者の手の届く範囲に置かれることが多い。音声認識を行うには、入力用のデバイスに対して十分な音圧をもった音声信号を入力する必要があるが、本発明では、携帯電話に搭載されているマイクを利用することで、音声信号入力用デバイスを使用者の近辺に配置することが容易となり、その結果、使用者が特別な機器を扱って音声信号入力用デバイスを用意するというような手間を低減している。さらに、音声によるテレビの操作が可能となることで、使用者は、あたかも人に操作を頼んでいるかのような、自然な操作感を得ることができる。また、局を直接指定する選局を行う際、通常のリモコンの操作ではふつう、押すべきボタンの視認をする必要がある。しかし、本発明による音声操作では、局名を発音するだけで、同様の操作をより簡便により直感的におこなうことが可能である。本発明では、認識すべきターゲット単語の数が限定されているため、音声認識回路２０５において、高い精度の音声認識を行うことを容易にしている。
【００２６】
また、使用者がテレビ受聴中に音圧レベルについての逐一調整をおこなう手間が削減される。これは、番組中の音声レベルに比して番組の間に放送されるＣＭの音声が大きいときなどに特に有効な機能である。携帯電話は、普通、室内でのテレビ視聴においても使用者の手の届く範囲に置かれることが多い。音量調整を行うには受聴者になるべく近い測定点で音声信号入力を得る必要があるが、本発明では、携帯電話に上記の機能を搭載することで、使用者が特別な機器を扱うことなく、より簡便に、より精度よくテレビの音量を調整することが可能となっている。
【００２７】
なお、目標とする音圧レベル入力、音声信号が目標範囲から外れてからテレビの音量調節用信号を発するまでの時間、目標とする音圧レベル範囲の幅など、リモートコントロール処理部１０２が制御動作に用いる各種パラメータについては、リモートコントロール操作部１０１等への操作で変更が可能である。
【００２８】
【発明の効果】
以上のように本発明は、携帯電話本体に設けられたマイクからの音声を認識する音声認識手段と、前記音声認識手段から入力された音声に応じたリモートコントロール制御信号を発生する手段を設けることにより、音声によってテレビ等の電子装置の操作を簡便に行うことができるという効果を有するリモートコントロール機能付携帯電話を提供できるものである。
【図面の簡単な説明】
【図１】本発明の携帯電話の概略構成を示すブロック図
【図２】本発明の携帯電話のリモートコントロール処理部の詳細構成を示すブロック図
【符号の説明】
１００　携帯電話
１０１　リモートコントロール操作部
１０２　リモートコントロール処理部
１０３　赤外線発光ユニット
１０４　フラグ
１０５　マイク
１０６　テーブル
１０７　フラグ
２０１　ゲート回路
２０２　音声用バッファ
２０３　ＥＱ回路
２０４　制御部
２０５　音声認識回路
２０６　テーブル用メモリ
【図１】
2004023423.tif 000004
【図２】
2004023423.tif 000005